(57)【要約】      （修正有）【課題】全体の配置に便利で、簡単快速に使用できる水耕器具の提供。【解決手段】載置体１０に連結体２０が組み合わされてその他の載置体に接続可能で、載置体中央に受部１２が設けられ、該受部にバスケット３０が弾性係止され、並びに該バスケットに網状の交換部３２が形成され、載置体が水中に置かれ、バスケットを浮いた状態で支持し、水耕植物をバスケット内で水分と接触させるよう形成されている。【選択図】図１
0003102494.tif 000002
【実用新案登録請求の範囲】
【請求項１】
複数の載置体と、
複数の連結体と、
載置体の数量と同数のバスケットと、
を具え、複数の載置体の周辺が連結体で相互に連結されて全体の構造形態が形成され、載置体にバスケットを収容する構造が設けられ、且つバスケット内に水耕植物が収容されることを特徴とする、水耕器具。
【請求項２】
請求項１記載の水耕器具において、載置体に連結体に対応する複数の結合部が設けられ、載置体にあってバスケットの腰部に対応する部分に受部が設けられたことを特徴とする、水耕器具。
【請求項３】
請求項１記載の水耕器具において、連結体に載置体の端部に対応する係止部が設けられ、該係止部に弾性割り溝が設けられたことを特徴とする、水耕器具。
【請求項４】
請求項１記載の水耕器具において、バスケットに載置体の受部に対応する受部が設けられ、バスケットの受部の底部に交換部が形成され、バスケットの受部の上端が載置体外部に向けて延伸されて交換部が形成され、この上向きに延伸された交換部の上端が外側に折られてリップが形成されたことを特徴とする、水耕器具。
【請求項５】
請求項４記載の水耕器具において、交換部が柵状に形成されたことを特徴とする、水耕器具。
【請求項６】
請求項１、２、３のいずれか記載の水耕器具において、載置体に連結体に対応する複数の結合部が設けられ、該結合部の上下が拡張孔形態とされ且つ該結合部の中央に内側に向けて突出する位置決め部が設けられ、連結体の係止部に結合部の位置決め部に対応し係合する位置決め部が凸設されたことを特徴とする、水耕器具。
【請求項７】
請求項１、２、３のいずれか記載の水耕器具において、載置体の受部が上下が拡張楕円孔の形態とされ、その受部の中央に内側に突出する係止部が設けられ、バスケットの受部に載置体の受部の係止部に対応し係合する係止部が設けられたことを特徴とする、水耕器具。
【請求項８】
請求項４記載の水耕器具において、バスケットの受部の下方の交換部が周囲が閉じた形態とされ、底部中央に別に貫通孔形態の交換孔が設けられたことを特徴とする、水耕器具。
【請求項９】
請求項４記載の水耕器具において、バスケットの受部と上部の交換部が一体に接続されて全体の網状の交換部が直接形成されたことを特徴とする、水耕器具。
【考案の詳細な説明】
【技術分野】
【０００１】
本考案は一種の水耕器具に係り、特に水耕植物の、一般家庭での、或いは大量栽培に用いられる器具であり、環境の大きさに合わせて相互に連結して全体の構造を形成し、高い経済効果を達成できるようにする器具に関する。
【背景技術】
【０００２】
現在の水耕器具は、多くが底部が網状の容器内に水耕植物を入れ、その容器を直接水を張ったトレイに入れる形態とされる。このような方式は、水耕植物の生長により容器の重心が不安定となり傾倒しやすく、水耕植物を正常に生長させらず、植物がゆがんだり十分に影響を吸収できなくなる状況が出現しやすく、経済上の効果を得にくい。且つ器具の使用が乱雑となりやすく、効率的な管理と使用に便利な目的を達成できなくなる。
【考案の開示】
【考案が解決しようとする課題】
【０００３】
本考案は、水耕に便利で、且つ水耕植物にゆがみや生長に不利な状況を発生させない水耕器具を提供するものである。
【０００４】
即ち、本考案は一種の水耕器具を提供し、それは、載置体の収容溝に直接バスケットが弾性係止され、周辺に組み合わされた連結体で全ての載置体が連結されて全体の構造を形成し、全体が環境に合わせて自在に接続され組み合わされて、高い実用性と使用に便利な効果を達成するものとする。
【課題を解決するための手段】
【０００５】
請求項１の考案は、
複数の載置体と、
複数の連結体と、
載置体の数量と同数のバスケットと、
を具え、複数の載置体の周辺が連結体で相互に連結されて全体の構造形態が形成され、載置体にバスケットを収容する構造が設けられ、且つバスケット内に水耕植物が収容されることを特徴とする、水耕器具としている。
請求項２の考案は、請求項１記載の水耕器具において、載置体に連結体に対応する複数の結合部が設けられ、載置体にあってバスケットの腰部に対応する部分に受部が設けられたことを特徴とする、水耕器具としている。
請求項３の考案は、請求項１記載の水耕器具において、連結体に載置体の端部に対応する係止部が設けられ、該係止部に弾性割り溝が設けられたことを特徴とする、水耕器具としている。
請求項４の考案は、請求項１記載の水耕器具において、バスケットに載置体の受部に対応する受部が設けられ、バスケットの受部の底部に交換部が形成され、バスケットの受部の上端が載置体外部に向けて延伸されて交換部が形成され、この上向きに延伸された交換部の上端が外側に折られてリップが形成されたことを特徴とする、水耕器具としている。
請求項５の考案は、請求項４記載の水耕器具において、交換部が柵状に形成されたことを特徴とする、水耕器具としている。
請求項６の考案は、請求項１、２、３のいずれか記載の水耕器具において、載置体に連結体に対応する複数の結合部が設けられ、該結合部の上下が拡張孔形態とされ且つ該結合部の中央に内側に向けて突出する位置決め部が設けられ、連結体の係止部に結合部の位置決め部に対応し係合する位置決め部が凸設されたことを特徴とする、水耕器具としている。
請求項７の考案は、請求項１、２、３のいずれか記載の水耕器具において、載置体の受部が上下が拡張楕円孔の形態とされ、その受部の中央に内側に突出する係止部が設けられ、バスケットの受部に載置体の受部の係止部に対応し係合する係止部が設けられたことを特徴とする、水耕器具としている。
請求項８の考案は、請求項４記載の水耕器具において、バスケットの受部の下方の交換部が周囲が閉じた形態とされ、底部中央に別に貫通孔形態の交換孔が設けられたことを特徴とする、水耕器具としている。
請求項９の考案は、請求項４記載の水耕器具において、バスケットの受部と上部の交換部が一体に接続されて全体の網状の交換部が直接形成されたことを特徴とする、水耕器具としている。
【考案の効果】
【０００６】
本考案の水耕器具は、載置体の収容溝に直接バスケットが弾性係止され、周辺に組み合わされた連結体で全ての載置体が連結されて全体の構造を形成し、全体が環境に合わせて自在に接続され組み合わされて、高い実用性と使用に便利な効果を達成する。
【考案を実施するための最良の形態】
【０００７】
図１、２、３、４に示されるように、本考案は載置体１０を具え、該載置体１０の周辺に連結体２０が着脱自在に組み合わされて、該連結体２０により載置体１０が相互に連結されて全体の構造形態を形成する。載置体１０の中央にはバスケット３０が設置されて、水耕植物４０がそのなかに収容される。
【０００８】
載置体１０は中空ケース状の構造形態とされ、浮力を有し、水面に浮かべて使用され、バスケット３０と水耕植物４０を載置する。載置体１０は連結体２０との接続に供される貫通孔状の複数の結合部１１を具え、該結合部１１は上下に拡張孔が設けられ、且つ中央に内側に突出する位置決め部１１０が設けられている。載置体１０の中央にはバスケット３０の腰部外周に相当する受部１２が設けられ、該受部１２は上下が拡大楕円孔の構造形態とされ、受部１２の中央に内側に突出する係止部１２０が設けられてバスケット３０を係止するのに供される。
【０００９】
連結体２０は三片式で且つ中央部分で相互に連結された一体状の構造形態とされ、且つ三片式の構造の中央部分に下向きに弾性係止部２１が延設され、該弾性係止部２１は弾性割り溝形態の弾性部２１０を具え、弾性部２１０の両側の係止部２１が弾性収縮して載置体１０の結合部１１を弾性係止する。そのうち弾性係止部２１の外側に結合部１１の位置決め部１１０に対応して凹んだ位置決め部２１１が設けられ、載置体１０と連結体２０を確実に結合させる効果を形成する。図３に示されるように、連結体２０の設置により、載置体１０は隣接する載置体１０と結合されて一体の構造形態を形成でき、これは図４に示されるとおりである。
【００１０】
バスケット３０の載置体１０の受部１２に対応する部分には、周囲が閉じた形態の受部３１が形成され、受部３１の底端に凹んだ係止部３１０が形成され、載置体１０の受部１２の係止部１２０と係合し、バスケット３０が載置体１０より容易に脱出しないものとされる。図２、３に示されるように、バスケット３０の受部３１の底部には柵状中空形態の交換部３２が設けられ、載置体１０の底部に進入した水分と接触し養分と水分の交換に供され、バスケット３０内の水耕植物４０を活かし、生長させる。バスケット３０の受部３１の上端に載置体１０外部に向けて柵状の空気交換部３３が延設され、並びに空気交換部３３の上端に外側に折り曲げられたリップ３４が設けられ、使用者が持ち上げるのに便利である。
【００１１】
本考案のバスケット３０は多くの異なる形態が可能であり、例えば図６、７に示されるようであり、そのうち、受部３１の下方の交換部３２は周囲が閉じた形態とされるが、その底部中央に別に貫通孔形態の交換孔３２０が設けられ、同様の機能を達成する。図８、９に示される実施例では、受部３１と交換部３２が一体に連設され、直接全体が柵状の交換部３５が形成され、大面積と空気交換の目的を達成する。
【００１２】
本考案の構造は以下のような優れた点を有している。
１．全体の使用に便利で快速に使用できる：  載置体１０と載置体１０が直接連結体２０で結合され一体とされ、全体の構造形態を形成し、環境の変化に応じて、使用者が必要に応じて一体の構造を分解、或いは組み合わせることができ、環境に合わせて使用でき、一般家庭或いは大量生産の農場での使用に符合し、経済効果が十分に高い。
２．全体の安定性が高い：  載置体１０と連結体２０が接続されて一体の構造形態とされ、その安定性が高く、水耕植物４０が正常の状態で生長し、高い安定度を以て生長する効果を得られ、水耕の品質を確保できる。
３．全体構造が簡易化され重複使用可能である：  全体の載置体１０と連結体２０及びバスケット３０の組合せにより、水耕器具の構造が簡易化され、且つ重複使用でき、極めて環境保護効果が高く、生産コストを減らすのに役立ち、高い経済効果を達成できる。
【００１３】
以上のように本考案は実用性、新規性、進歩性及び産業上の利用価値を有する考案である。
【図面の簡単な説明】
【００１４】
【図１】本考案の立体システム分解図である。
【図２】本考案の載置体、バスケット及び連結体の組合せ表示図である。
【図３】本考案の組合せ外観図である。
【図４】本考案の複数の載置体の組合せ表示図である。
【図５】本考案の載置体の第２実施例表示図である。
【図６】図５の平面図である。
【図７】本考案の載置体の第３実施例表示図である。
【図８】図７の平面図である。
【符号の説明】
【００１５】
１０  載置体              １１  結合部
１１０  位置決め部        １２  受部
１２０  係止部
２０  連結体              ２１  係止部
２１０  弾性割り溝        ２１１  位置決め部
３０  バスケット          ３１  受部
３１０  係止部            ３２  交換部
３３  交換部              ３４  リップ
３５  交換部
【図１】
0003102494.tif 000003
【図２】
0003102494.tif 000004
【図３】
0003102494.tif 000005
【図４】
0003102494.tif 000006
【図５】
0003102494.tif 000007
【図６】
0003102494.tif 000008
【図７】
0003102494.tif 000009
【図８】
0003102494.tif 000010